(57)【特許請求の範囲】
【請求項１】
外部のメダル供給ラインのメダルをメダル遊技機又はメダル貸し機に補給する補給路を設け、同補給路の終端部に補給したメダルをメダル遊技機内又はメダル貸し機内のメダルホッパーへ取り込むシュートを脱着可能に接続し、メダルホッパー内のメダルが所定量以下になるとメダル供給ラインのメダルを補給路及びシュートを通じて補給するように制御するメダル補給制御手段を設けたメダル補給装置において、前記補給路の終端部とシュートとの脱着自在な接続部が、メダル遊技機又はメダル貸し機の機背面にあり、前記補給路の下方位置に補給路の外れにより生じたメダルの落下を検出する検出器を設け、同検出器がメダルの落下を検出すると警報する警報手段を設け、しかも検出器が、落下したメダルを収容する容器内に一対の電極板を対向して取り付け、落下したメダルが一対の電極板と接触して電極板間が導通するとメダルの落下を検出できるようにしたものである、メダル補給装置。
【請求項２】
外部のメダル供給ラインのメダルをメダル遊技機又はメダル貸し機に補給する補給路を設け、同補給路の終端部に補給したメダルをメダル遊技機内又はメダル貸し機内のメダルホッパーへ取り込むシュートを脱着可能に接続し、メダルホッパー内のメダルが所定量以下になるとメダル供給ラインのメダルを補給路及びシュートを通じて補給するように制御するメダル補給制御手段を設けたメダル補給装置において、前記補給路の終端部とシュートとの脱着自在な接続部が、メダル遊技機又はメダル貸し機の機背面にあり、前記補給路の下方位置に補給路の外れにより生じたメダルの落下を検出する検出器を設け、同検出器がメダルの落下を検出すると警報する警報手段を設け、しかも検出器が、落下したメダルを収容する容器内にメダルを載せる載せ板を容器の底面に対して付勢して取り付け、容器と載せ板との間の位置にメダルの荷重で作動するスイッチを取り付け、スイッチが作動するとメダルの落下を検出できるようにしたものである、メダル補給装置。
【請求項３】
外部のメダル供給ラインのメダルをメダル遊技機又はメダル貸し機に補給する補給路を設け、同補給路の終端部に補給したメダルをメダル遊技機内又はメダル貸し機内のメダルホッパーへ取り込むシュートを脱着可能に接続し、メダルホッパー内のメダルが所定量以下になるとメダル供給ラインのメダルを補給路及びシュートを通じて補給するように制御するメダル補給制御手段を設けたメダル補給装置において、前記補給路の終端部とシュートとの脱着自在な接続部が、メダル遊技機又はメダル貸し機の機背面にあり、前記補給路の下方位置に補給路の外れにより生じたメダルの落下を検出する検出器を設け、同検出器がメダルの落下を検出すると警報する警報手段を設け、しかも検出器が、落下したメダルを収容する容器内に投光器と同投光器の光を受光する受光器を対向して取り付け、受光器が投光器の光の遮光を感知するとメダルの落下を検出できるようにしたものである、メダル補給装置。
【請求項４】
外部のメダル供給ラインのメダルをメダル遊技機又はメダル貸し機に補給する補給路を設け、同補給路の終端部に補給したメダルをメダル遊技機内又はメダル貸し機内のメダルホッパーへ取り込むシュートを脱着可能に接続し、メダルホッパー内のメダルが所定量以下になるとメダル供給ラインのメダルを補給路及びシュートを通じて補給するように制御するメダル補給制御手段を設けたメダル補給装置において、前記補給路の終端部とシュートとの脱着自在な接続部が、メダル遊技機又はメダル貸し機の機背面にあり、前記補給路の下方位置に補給路の外れにより生じたメダルの落下を検出する検出器を設け、同検出器がメダルの落下を検出すると警報する警報手段を設け、しかも検出器が、落下したメダルを収容する容器内に磁気センサーを取り付け、磁気センサーが磁気を感知するとメダルの落下を検出できるようにしたものである、メダル補給装置。
【請求項５】
検出器がメダルの落下を検出するとメダルの補給を停止する制御をメダル補給制御手段に備えた、請求項１〜４いずれか記載のメダル補給装置。
【発明の詳細な説明】
【技術分野】
【０００１】
本発明は、遊技に使用されるメダルをメダル遊技機又はメダル貸し機に補給するメダル補給装置に関する。
【背景技術】
【０００２】
従来のメダル補給装置は、島を構成する複数のメダル遊技機及びメダル貸し機の上方位置に長尺のメダル供給ラインを配置し、メダル供給ラインのメダルを取り込む取込装置をメダル遊技機及びメダル貸し機の直上位置に取り付け、各取込装置に補給路を接続してメダル遊技機及びメダル貸し機の背面位置に垂下し、補給路の終端部にメダルをメダル遊技機内及びメダル貸し機内のメダルホッパーへ取り込むエルボ形のシュートを脱着可能に接続した構造が一般的で、機器の入れ替えやメダル詰まりの解消時には補給路をシュートから取り外して対処している。
【０００３】
ところで、機器の入れ替えやメダル詰まりの解消後に補給路をシュートに接続し忘れることがあり、その場合は補給路からメダルが落下してメダルホッパーへ補給されなくなり、メダル不足で機器が停止したり、落下したメダルが電源トランスや他の電気機器内に混入してショートして火災が発生したり、作業者が遊技機島内にこぼれたメダルの除去作業中に感電する事故が発生する問題があった。
【特許文献１】特開２００４−２３６７８３号公報
【発明の開示】
【発明が解決しようとする課題】
【０００４】
本発明が解決しようとする課題は、従来のこれらの問題点を解消し、機器の入れ替えやメダル詰まりの解消時において、シュートから取り外した補給路の接続忘れを防止できるメダル補給装置を提供することにある。
【課題を解決するための手段】
【０００５】
かかる課題を解決した本発明の構成は、
１）  外部のメダル供給ラインのメダルをメダル遊技機又はメダル貸し機に補給する補給路を設け、同補給路の終端部に補給したメダルをメダル遊技機内又はメダル貸し機内のメダルホッパーへ取り込むシュートを脱着可能に接続し、メダルホッパー内のメダルが所定量以下になるとメダル供給ラインのメダルを補給路及びシュートを通じて補給するように制御するメダル補給制御手段を設けたメダル補給装置において、前記補給路の終端部とシュートとの脱着自在な接続部が、メダル遊技機又はメダル貸し機の機背面にあり、前記補給路の下方位置に補給路の外れにより生じたメダルの落下を検出する検出器を設け、同検出器がメダルの落下を検出すると警報する警報手段を設け、しかも検出器が、落下したメダルを収容する容器内に一対の電極板を対向して取り付け、落下したメダルが一対の電極板と接触して電極板間が導通するとメダルの落下を検出できるようにしたものである、メダル補給装置
２）  外部のメダル供給ラインのメダルをメダル遊技機又はメダル貸し機に補給する補給路を設け、同補給路の終端部に補給したメダルをメダル遊技機内又はメダル貸し機内のメダルホッパーへ取り込むシュートを脱着可能に接続し、メダルホッパー内のメダルが所定量以下になるとメダル供給ラインのメダルを補給路及びシュートを通じて補給するように制御するメダル補給制御手段を設けたメダル補給装置において、前記補給路の終端部とシュートとの脱着自在な接続部が、メダル遊技機又はメダル貸し機の機背面にあり、前記補給路の下方位置に補給路の外れにより生じたメダルの落下を検出する検出器を設け、同検出器がメダルの落下を検出すると警報する警報手段を設け、しかも検出器が、落下したメダルを収容する容器内にメダルを載せる載せ板を容器の底面に対して付勢して取り付け、容器と載せ板との間の位置にメダルの荷重で作動するスイッチを取り付け、スイッチが作動するとメダルの落下を検出できるようにしたものである、メダル補給装置
３）  外部のメダル供給ラインのメダルをメダル遊技機又はメダル貸し機に補給する補給路を設け、同補給路の終端部に補給したメダルをメダル遊技機内又はメダル貸し機内のメダルホッパーへ取り込むシュートを脱着可能に接続し、メダルホッパー内のメダルが所定量以下になるとメダル供給ラインのメダルを補給路及びシュートを通じて補給するように制御するメダル補給制御手段を設けたメダル補給装置において、前記補給路の終端部とシュートとの脱着自在な接続部が、メダル遊技機又はメダル貸し機の機背面にあり、前記補給路の下方位置に補給路の外れにより生じたメダルの落下を検出する検出器を設け、同検出器がメダルの落下を検出すると警報する警報手段を設け、しかも検出器が、落下したメダルを収容する容器内に投光器と同投光器の光を受光する受光器を対向して取り付け、受光器が投光器の光の遮光を感知するとメダルの落下を検出できるようにしたものである、メダル補給装置
４）  外部のメダル供給ラインのメダルをメダル遊技機又はメダル貸し機に補給する補給路を設け、同補給路の終端部に補給したメダルをメダル遊技機内又はメダル貸し機内のメダルホッパーへ取り込むシュートを脱着可能に接続し、メダルホッパー内のメダルが所定量以下になるとメダル供給ラインのメダルを補給路及びシュートを通じて補給するように制御するメダル補給制御手段を設けたメダル補給装置において、前記補給路の終端部とシュートとの脱着自在な接続部が、メダル遊技機又はメダル貸し機の機背面にあり、前記補給路の下方位置に補給路の外れにより生じたメダルの落下を検出する検出器を設け、同検出器がメダルの落下を検出すると警報する警報手段を設け、しかも検出器が、落下したメダルを収容する容器内に磁気センサーを取り付け、磁気センサーが磁気を感知するとメダルの落下を検出できるようにしたものである、メダル補給装置
５）  検出器がメダルの落下を検出するとメダルの補給を停止する制御をメダル補給制御手段に備えた、前記１）〜４）いずれか記載のメダル補給装置
にある。
【発明の効果】
【０００６】
本発明によれば、シュートから補給路が外れている状態でメダル補給制御手段がメダルを補給しようとすると、補給路に取り込まれたメダルがシュートへ移行せずに下方の検出器へ落下し、検出器がそのメダルの落下を検出して警報手段が警報する。管理者はその警報で補給路の外れに気づいて迅速に対処でき、電源トランスや他の電気機器内へのメダルの混入によるショートや、こぼれたメダルの除去作業時の感電を防止できるようになる。
【発明を実施するための最良の形態】
【０００７】
本発明では、検出器が補給路の外れた状態を検出すると取込装置を停止させる制御をメダル補給制御手段に設け、メダルの落下を直に止めて補給路を接続するまでのトラブルの拡大を防止する。検出器の他の形態としては、落下したメダルを収容する容器をロードセル（重量計測器）に載せ、ロードセルが容器の重量以上の重量値を計測するとメダルの落下を検出できるようにしてもよい。検出器はメダル遊技機及びメダル貸し機の背部に常設しておいてもよいし、作業時のみ設置してもよい。メダル遊技機とメダル貸し機が隣設されている場合は、それぞれの補給路の下方位置に一体で設置できる広幅の検出器を用いてもよい。以下、本発明の各実施例を図面に基づいて具体的に説明する。
【実施例１】
【０００８】
図１〜６に示す実施例１は、検出器として一対の電極板を備えたものを使用した例である。図１は実施例１のメダル遊技機の一部切欠き斜視図、図２は実施例１のメダル貸し機の一部切欠き斜視図、図３は実施例１の検出器の設置状態を示す斜視図、図４は実施例１の検出器の説明図、図５は実施例１のメダル補給制御部の説明図、図６は実施例１のフローである。
【０００９】
図中、１０はメダル遊技機、１０ａは開口部、１１はメダル投入口、１２はコントローラ、１３はメダルホッパー、１４はタッチセンサー、１５は受皿、１６は排送路、２０はメダル貸し機、２０ａは開口部、２１は貨幣投入口、２２はコントローラ、２３はメダルホッパー、２４はタッチセンサー、２５は払出口、３０はメダル供給ライン、３１はメダル回収ライン、３２は取込装置、３３は補給路、３４はシュート、３４ａは取付片、３５は検出器、３５ａは容器、３５ｂは電極板、４０はメダル補給制御部、４０ａはＣＰＵ、４０ｂはＲＡＭ、４０ｃはＲＯＭ、４０ｄはインターフェイス、４１は信号線、４２は警報装置、ｍはメダルである。
【００１０】
メダル遊技機１０は、図１に示すようにメダルｍを投入するメダル投入口１１と、投入されたメダルｍによるゲームの進行及びゲーム結果に応じた枚数のメダルｍの払い出し制御をするコントローラ１２と、内部に多数枚のメダルｍを払い出し時まで貯溜するメダルホッパー１３と、メダルホッパー１３内のメダルｍの所定量以下を検出するタッチセンサー１４と、メダルホッパー１３から払い出したメダルｍを収容する受皿１５と、メダルホッパー１３からの余剰のメダルｍをメダル回収ライン３１へ排出する排送路１６とで構成されている。
【００１１】
メダル貸し機２０は、図２に示すように貨幣を投入する貨幣投入口２１と、投入された金額に応じた枚数のメダルｍの払い出し制御をするコントローラ２２と、内部に多数枚のメダルｍを払い出し時まで貯溜するメダルホッパー２３と、メダルホッパー２３内のメダルｍの所定量以下を検出するタッチセンサー２４と、メダルホッパー２３から払い出したメダルｍを収容する払出口２５とで構成されている。
【００１２】
メダル遊技機１０及びメダル貸し機２０の直上には、メダル供給ライン３０のメダルｍを取り込む取込装置３２を取り付け、各取込装置３２に補給路３３を接続してメダル遊技機１０及びメダル貸し機２０の背面位置に垂下している。メダル遊技機１０及びメダル貸し機２０の背面には開口部１０ａ，２０ａを形成し、その開口部１０ａ，２０ａにエルボ形のシュート３４をその両側に備えた取付片３４ａでネジ等により脱着可能に取り付け、補給路３３をシュート３４に脱着可能に接続している。
【００１３】
メダル遊技機１０及びメダル貸し機２０の背面の下方位置には、図３に示すように落下したメダルｍを検出する検出器３５をそれぞれ設置している。検出器３５は、図４（ａ）に示すようにメダルｍを収容する容器３５ａ内の対向する位置に一対の電極板３５ｂを傾斜させて取り付け、各電極板３５ｂに信号線４１をそれぞれ接続している。
【００１４】
メダル補給制御部４０は、図５に示すようにＣＰＵ４０ａ・ＲＡＭ４０ｂ・ＲＯＭ４０ｃ・インターフェイス４０ｄで構成され、警報ランプと警報音を発音するスピーカーで構成した警報装置４２を備え、タッチセンサー１４，２４・取込装置３２・検出器３５と接続している。ＲＯＭ４０ｃ内のプログラムは、タッチセンサー１４，２４からメダルｍが離れると取込装置３２を作動させ、タッチセンサー１４，２４にメダルｍが接触するまで取込装置３２の作動を継続するように制御し、検出器３５の電極板３５ｂ間が導通していない場合は補給路３３が接続されている状態を認識し、検出器３５の電極板３５ｂ間が導通した場合は補給路３３が外れた状態を認識して警報装置４２を作動させるとともに取込装置３２を停止させるように構成している。
【００１５】
実施例１では、図６に示すようにメダルホッパー１３，２３のメダルｍがタッチセンサー１４，２４から離れると、メダル補給制御部４０は取込装置３２を作動させてメダル供給ライン３０のメダルｍを補給路３３に取り込み、シュート３４を通じてメダルホッパー１３，２３に補給し、メダルｍが積み上がってタッチセンサー１４，２４に接触すると取込装置３２を停止させる。この場合、補給路３３はシュート３４に接続済みであるから、電極板３５ｂ間は導通していない状態となっており、メダル補給制御部４０は補給路３３の接続済みを認識してメダルｍが補給される。
【００１６】
機器の入れ替えやメダルｍの詰まり解消のために一旦補給路３３を取り外し、作業終了後に接続を忘れた状態で稼動すると、補給路３３に取り込まれたメダルｍが路端から落下して直下の容器３５ａに収容される。図４（ｂ）に示すようにメダルｍが一対の電極板３５ｂと接触すると電極板３５ｂ間が導通し、メダル補給制御部４０は補給路３３の外れた状態を認識して警報装置４２を作動させ、取込装置３２を直に停止させる。管理者はその警報で補給路３３の接続忘れに気づき、迅速に対処できる。その後、容器３５ａからメダルｍを取り除くと電極板３５ｂ間が非導通となり、取込装置３２が作動してメダルｍの補給が再開される。このように、メダルｍの不足で機器が停止したり、電源トランスや他の電気機器内へのメダルｍの混入によるショートや、こぼれたメダルｍの除去作業時の感電を防止できる。
【実施例２】
【００１７】
図７に示す実施例２は、検出器としてメダルを載せる載せ板と載せ板に落下したメダルの荷重で作動するスイッチを備えたものを使用した例である。図７は実施例２の検出器の説明図である。図中、３５ｃは載せ板、３５ｄはバネ、３５ｅはスイッチである。実施例２では、図７（ａ）に示すように容器３５ａ内に載せ板３５ｃをバネ３５ｄで容器３５ａの底面に対して付勢して取り付け、容器３５ａと載せ板３５ｃとの間の位置に接触式のスイッチ３５ｅを取り付け、メダル補給制御部４０はスイッチ３５ｅがＯＮの場合に補給路３３が外れた状態を認識するようにしている。したがって、補給路３３が接続されているとメダルｍが落下しないからバネ３５ｄの付勢でスイッチ３５ｅがＯＦＦとなってメダルｍが補給され、補給路３３が外れていると、図７（ｂ）に示すように落下したメダルｍの荷重でスイッチ３５ｅがＯＮとなって警報される。その他、符号、構成、作用効果は実施例１と同じである。
【実施例３】
【００１８】
図８に示す実施例３は、検出器として投光器と同投光器の光を受光する受光器とを備えたものを使用した例である。図８は実施例３の検出器の説明図である。図中、３５ｆは投光器、３５ｇは受光器である。実施例３では、図８（ａ）に示すように容器３５内に投光器３５ｆと受光器３５ｇ（図８（ａ）では表れず）を対向して取り付け、メダル補給制御部４０は受光器３５ｇが投光器３５ｆの光の遮光を感知した場合に補給路３３が外れた状態を認識するようにしている。したがって、補給路３３が接続されているとメダルｍが落下しないから受光器３５ｇは投光器３５ｆの光を受光してメダルｍが補給され、補給路３３が外れていると、図８（ｂ）に示すように投光器３５ｆの光がメダルｍで遮光され、受光器３５ｇがその遮光を感知して警報される。その他、符号、構成、作用効果は実施例１と同じである。
【実施例４】
【００１９】
図９に示す実施例４は、検出器として磁気センサーを備えたものを使用した例である。図９は実施例４の検出器の説明図である。図中、３５ｈは磁気センサーである。実施例４では容器３５の底面に磁気センサー３５ｈを取り付け、メダル補給制御部４０は磁気センサー３５ｈが磁気を感知すると補給路３３が外れた状態を認識するようにしている。したがって、補給路３３が接続されているとメダルｍが落下しないから磁気センサー３５ｈは磁気を感知せずにメダルｍが補給され、補給路３３が外れていると、図９に示すように落下したメダルｍの磁気を磁気センサー３５ｈが感知して警報される。その他、符号、構成、作用効果は実施例１と同じである。
【産業上の利用可能性】
【００２０】
本発明のメダル補給装置はスロットル台の他、パチンコ台にも利用できる。
【図面の簡単な説明】
【００２１】
【図１】実施例１のメダル遊技機の一部切欠き斜視図である。
【図２】実施例１のメダル貸し機の一部切欠き斜視図である。
【図３】実施例１の検出器の設置状態を示す斜視図である。
【図４】実施例１の検出器の説明図である。
【図５】実施例１のメダル補給制御部の説明図である。
【図６】実施例１のフローである。
【図７】実施例２の検出器の説明図である。
【図８】実施例３の検出器の説明図である。
【図９】実施例４の検出器の説明図である。
【符号の説明】
【００２２】
１０  メダル遊技機
１０ａ  開口部
１１  メダル投入口
１２  コントローラ
１３  メダルホッパー
１４  タッチセンサー
１５  受皿
１６  排送路
２０  メダル貸し機
２０ａ  開口部
２１  貨幣投入口
２２  コントローラ
２３  メダルホッパー
２４  タッチセンサー
２５  払出口
３０  メダル供給ライン
３１  メダル回収ライン
３２  取込装置
３３  補給路
３４  シュート
３４ａ  取付片
３５  検出器
３５ａ  容器
３５ｂ  電極板
３５ｃ  載せ板
３５ｄ  バネ
３５ｅ  スイッチ
３５ｆ  投光器
３５ｇ  受光器
３５ｈ  磁気センサー
４０  メダル補給制御部
４０ａ  ＣＰＵ
４０ｂ  ＲＡＭ
４０ｃ  ＲＯＭ
４０ｄ  インターフェイス
４１  信号線
４２  警報装置
ｍ  メダル
【図１】
0004791438.tif 000002
【図２】
0004791438.tif 000003
【図３】
0004791438.tif 000004
【図４】
0004791438.tif 000005
【図５】
0004791438.tif 000006
【図６】
0004791438.tif 000007
【図７】
0004791438.tif 000008
【図８】
0004791438.tif 000009
【図９】
0004791438.tif 000010